(57)【要約】【課題】ディスプレイ・スクリーンに表示した内容に対して局部もしくは全部を選択し、ユーザーの要求に応えるビデオ信号処理システム及びその方法を提供する。【解決手段】ビデオ信号処理システム及びその方法は、ビデオ環境に於いて応用し、ディスプレイ・スクリーンが表示した画面内容に対して局部もしくは全部を選択し、選択した局部もしくは全部画面内容のビデオ信号に対して処理を行い、それをユーザーの要求に基づきディスプレイ・スクリーン上に表示する。【選択図】図１
2010091723.tif 000002
【特許請求の範囲】
【請求項１】
ビデオ環境内に応用し、ディスプレイ・スクリーンに表示された画面内容を選択し、選択した画面内容のビデオ信号に対して処理を行うビデオ信号処理の方法において、
ビデオ信号処理モジュールは、ビデオデータ・バッファ内に保存したロービデオデータを読み取り、該ロービデオデータはディスプレイ外部入力ビデオ信号を、一次フォーマット・コンバータを経て取得し、
ビデオ信号処理モジュールは、ユーザーが画面の選択を行い、ビデオデータ・バッファ内に保存したこれらのロービデオデータに対してスケーリング処理及び/もしくは即時図画像とビデオ周波数処理を行うというプロセスを含むことを特徴とするビデオ信号処理の方法。
【請求項２】
前記ビデオ信号処理の方法において、
該ビデオ信号処理モジュールは、スケーリング処理及び/もしくは即時図画像とビデオ周波数処理を経た処理後のロービデオデータをビデオデータ・バッファへ戻し、
ビデオ二次フォーマット・コンバータは、該ビデオデータ・バッファが読み取った処理後のロービデオ・データフォーマットから処理後のロービデオ・データフォーマットを出力ビデオ信号フォーマットに転換し、更に該出力ビデオ信号フォーマットをディスプレイへ伝送するというプロセスを更に含むことを特徴とする請求項１記載のビデオ信号処理の方法。
【請求項３】
前記該ビデオ信号処理の方法は、ユーザーが選択する画面を局部画面とすることを特徴とする請求項１もしくは２記載のビデオ信号処理の方法。
【請求項４】
前記ビデオ信号処理の方法は、ユーザーが選択する画面を全部画面とすることを特徴とする請求項１もしくは２記載のビデオ信号処理の方法。
【請求項５】
前記ビデオ信号処理モジュールは、即時図画像とビデオ周波数処理の即時ビデオ演算法機能を具え、該即時ビデオ演算法機能は、ソフトウエア及び/もしくはファームウエアで実行することを特徴とする請求項３記載のビデオ信号処理の方法。
【請求項６】
前記ビデオ信号処理モジュールは、即時図画像とビデオ周波数処理の即時ビデオ演算法機能を具え、該即時ビデオ演算法機能は、ソフトウエア及び/もしくはファームウエアで実行することを特徴とする請求項４記載のビデオ信号処理の方法。
【請求項７】
前記ビデオ信号処理モジュールは、スケーリングのズーミング、ミラーリング、回転機能を具える他に，更に図画像回転及び/もしくは図画像ズーミング、色彩校正と色度校正及び/もしくは陰影増強及び/もしくは辺縁測定及び/もしくは直方図機能及び/もしくは鮮明化及び/もしくはメジアンフィルター及び/もしくは斑点分析的機能を具えることを特徴とする請求項３もしくは４もしくは５記載のビデオ信号処理の方法。
【請求項８】
ビデオ環境内に応用し、ディスプレイ・スクリーンに表示された画面内容を選択し、選択した画面内容のビデオ信号に対して処理を行うビデオ信号処理の方法において、
コントロール・パネルのタッチキーで局部画面及び特殊画面処理要求を選択し、コントロール・パネルはユーザーが選択したものを入力タッチキー信号に転換し、更にそれをオペレーション・インターフェイス・コントローラへ伝送し、オペレーション・インターフェイス・コントローラは受信した入力タッチキー信号をスクリーン控制信号に転換し、それをビデオ信号処理モジュールへ伝送し、
ビデオ信号処理モジュールは、オペレーション・インターフェイス・コントローラからのスクリーン控制信号に基づき、ビデオデータ・バッファ内に保存したロービデオデータを読み取り、該ロービデオデータはビデオ一次フォーマット・コンバータでディスプレイ外部入力ビデオ信号を、一次フォーマットの転換を経て取得し、そのうち、該ビデオ一次フォーマット・コンバータは受信したディスプレイ外部入力ビデオ信号をロービデオデータに転換し、及び、
ビデオ信号処理モジュールはユーザーが局部画面を選択した場合、ビデオデータ・バッファ内に保存したこれらのロービデオデータに対してスケーリング処理及び/もしくは即時図画像とビデオ周波数処理を行うというプロセスを含むことを特徴とするビデオ信号処理の方法。
【請求項９】
前記ビデオ信号処理方法において、
該ビデオ信号処理モジュールは、スケーリング処理及び/もしくは即時図画像とビデオ周波数処理を経た後、ロービデオデータをビデオデータ・バッファへ戻し、及び、
ビデオ二次フォーマット・コンバータは、該ビデオデータ・バッファから処理後のロービデオ・データフォーマットを読み取り、処理後のロービデオ・データフォーマットを出力ビデオ信号フォーマットに転換し、該出力ビデオ信号フォーマットをディスプレイへ伝送するというプロセスを更に含むことを特徴とする請求項８記載のビデオ信号処理の方法。
【請求項１０】
ビデオ環境内に応用し、ディスプレイ・スクリーンに表示された画面内容を選択し、選択した画面内容のビデオ信号に対して処理を行うビデオ信号処理の方法において、
リモコンのタッチキーで局部画面及び特殊画面処理の要求を選択し、リモートセンシング・モジュールは受信したリモコン遠隔制御信号を遠隔制御入力信号に転換し、それをオペレーション・インターフェイス・コントローラへ伝送し、オペレーション・インターフェイス・コントローラは、受信した遠隔制御入力信号をスクリーン控制信号に転換し、それをビデオ信号処理モジュールへ伝送し、
ビデオ信号処理モジュールは、オペレーション・インターフェイス・コントローラからのスクリーン控制信号に基づき、ビデオデータ・バッファ内に保存したロービデオデータに対してスケーリング処理及び/もしくは即時図画像とビデオ周波数処理を行い、該ロービデオデータは一次フォーマット・コンバータによって、ディスプレイ外部入力ビデオ信号を、一次フォーマット・コンバータを経て取得し、そのうち、該一次フォーマット・コンバータは受信したディスプレイ外部入力ビデオ信号をロービデオデータに転換し、及び、
ビデオ信号処理モジュールは、ユーザーが全部画面を選択した場合、ビデオデータ・バッファ内に保存したこれらのロービデオデータに対してスケーリング処理及び/もしくは即時図画像とビデオ周波数処理を行うというプロセスを含むことを特徴とするビデオ信号処理の方法。
【請求項１１】
前記ビデオ信号処理方法において、
該ビデオ信号処理モジュールは、スケーリング処理及び/もしくは即時図画像とビデオ周波数処理を経て処理した後、ロービデオデータをビデオデータ・バッファへ戻し、及び、
ビデオ二次フォーマット・コンバータは、該ビデオデータ・バッファから処理後のロービデオ・データフォーマットを読み取り、処理後のロービデオ・データフォーマットを出力ビデオ信号フォーマットに転換し、該出力ビデオ信号フォーマットをディスプレイへ伝送するというプロセスを更に含むことを特徴とする請求項１０記載のビデオ信号処理の方法。
【請求項１２】
ビデオ環境内に応用し、ディスプレイ・スクリーンに表示された画面内容を選択し、選択した画面内容のビデオ信号に対して処理を行うビデオ信号処理の方法において、
コンピュータシステムは、ディスプレイ・データ・チャンネルDDCもしくはその他シリアル通信インターフェイス(SCI)モジュールが伝送したコンピュータシステム控制信号中の制御指令で局部画面及び特殊画面処理の要求を選択し、ディスプレイ・データ・チャンネルDDCもしくはシリアル通信インターフェイス・モジュールは受信したコンピュータシステム控制信号を通信控制入力信号に転換し、それをオペレーション・インターフェイス・コントローラへ伝送し、オペレーション・インターフェイス・コントローラは受信した通信控制入力信号をスクリーン控制信号に転換し、それをビデオ信号処理モジュールへ伝送し、
ビデオ信号処理モジュールは、オペレーション・インターフェイス・コントローラからのスクリーン控制信号に基づき、ビデオデータ・バッファ内に保存したロービデオデータを読み取り、該ロービデオデータは、ビデオ一次フォーマット・コンバータでディスプレイ外部入力ビデオ信号を、一次フォーマット・コンバータを経て取得し、そのうち、該一次フォーマット・コンバータは受信したディスプレイ外部入力ビデオ信号をロービデオデータに転換し、及び、
ビデオ信号処理モジュールは、コンピュータシステムに基づいて局部画面を選択した場合、ビデオデータ・バッファ内に保存したこれらのロービデオデータに対して、スケーリング処理及び/もしくは即時図画像とビデオ周波数処理を行うというプロセスを含むことを特徴とするビデオ信号処理の方法。
【請求項１３】
前記ビデオ信号処理方法において、
該ビデオ信号処理モジュールは、スケーリング処理及び/もしくは即時図画像とビデオ周波数処理を経て処理した後、ロービデオデータをビデオデータ・バッファへ戻し、及び、
ビデオ二次フォーマット・コンバータは、該ビデオデータ・バッファから処理後のロービデオ・データフォーマットを読み取り、処理後のロービデオ・データフォーマットを出力ビデオ信号フォーマットに転換し、該出力ビデオ信号フォーマットをディスプレイへ伝送するというプロセスを更に含むことを特徴とする請求項１２記載のビデオ信号処理の方法。
【請求項１４】
前記ビデオ信号処理モジュールは、即時図画像とビデオ周波数処理の即時ビデオ演算法機能を具え、該即時ビデオ演算法機能は、ソフトウエア及び/もしくはファームウエアで実行することを特徴とする請求項８もしくは９もしくは１０、もしくは１１、もしくは１２、もしくは１３記載のビデオ信号処理の方法。
【請求項１５】
前記ビデオ信号処理モジュールは、スケーリングのズーミング、ミラーリング、回転機能を具える以外に、更にモザイク及び/もしくは図画像回転及び/もしくは図画像ズーミング、色彩校正と色度校正及び/もしくは陰影増強及び/もしくは辺縁測定及び/もしくは直方図機能及び/もしくは鮮明化及び/もしくはメジアンフィルター及び/もしくは斑点分析的機能を具えることを特徴とする請求項１４記載のビデオ信号処理の方法。
【請求項１６】
ビデオ環境内に応用し、ディスプレイ・スクリーンに表示された画面内容を選択し、選択した画面内容のビデオ信号に対して処理を行うビデオ信号処理システムにおいて、
ロービデオデータを入力し、ロービデオデータはディスプレイ外部入力ビデオ信号を、一次フォーマット・コンバータを経て取得するビデオデータ・バッファと、
ユーザーが選択した画面に基づき、ビデオデータ・バッファ内に保存したこれらのロービデオデータに対して、スケーリング処理及び/もしくは即時図画像とビデオ周波数処理を行うビデオ信号処理モジュールを含むことを特徴とするビデオ信号処理システム。
【請求項１７】
前記ビデオ信号処理モジュールは、更にビデオ周波数信号処理二次モジュールを含み、該ビデオ周波数信号処理二次モジュールは、即時図画像とビデオ周波数処理の即時ビデオ演算法機能を具え、該即時ビデオ演算法機能は、ソフトウエア及び/もしくはファームウエアで実行することを特徴とする請求項１６記載のビデオ信号処理システム。
【請求項１８】
前記ビデオ信号処理次モジュールは、スケーリングのズーミング、ミラーリング、回転機能を具える他に、更にモザイク及び/もしくは図画像回転及び/もしくは図画像ズーミング、色彩校正と色度校正及び/もしくは陰影増強及び/もしくは辺縁測定及び/もしくは直方図機能及び/もしくは鮮明化及び/もしくはメジアンフィルター及び/もしくは斑点分析的機能を具えることを特徴とする請求項１７記載のビデオ信号処理システム。
【発明の詳細な説明】
【技術分野】
【０００１】
本発明は、ビデオ信号処理に関するもので、特にビデオ信号処理システム及びその方法で、ビデオ環境内で応用し、ディスプレイ・スクリーンに表示した内容に対して局部もしくは全部を選択し、その選択した画面内容のピクセルに対して処理を行い、ユーザーの要求に応える。
【背景技術】
【０００２】
一般にディスプレイ、デジタルテレビ上で使用する主なビデオ技術は、ビデオ一次フォーマットの転換、ビデオスケーリング(video scaling)及びビデオ二次フォーマットの転換を含む。ディスプレイインターフェイスは、受信したビデオ信号のフォーマットに対して，先ず一次フォーマットをロービデオ・データフォーマット(raw video data format)に転換して後続のスケーリング処理をしやすくする。スケーリング処理は、ローディスプレイ入力信号の入力ピクセル・フォーマット(input pixel format)をディスプレイのネイティブ・ピクセル・フォーマット(native pixel format)に転換し、即ちピクセル・フォーマットをネイティブ・レベル(native level)に設定する。最後にスケーリング処理後のロービデオ・データフォーマット信号を二次フォーマット転換でディスプレイ・スクリーンに適合するインターフェイス形態及び影像表示フォーマットにする。従来応用の際、関連のビデオ信号をディスプレイへ伝送して内容を表示する前にコンピュータ自身のグラフィック・システム(graphics system)がビデオ信号に対して先ず必要なフォーマットの転換、スケーリング処理，もしくはその他の特殊映像処理，例としてズーミング(zooming)、ミラーリング(mirroring)、回転等々を行う。
【０００３】
ディスプレイ内のビデオスケーリング装置は、ビデオ信号処理モジュール、及びそれに伴うビデオデータ・バッファを含む。一次フォーマット・コンバータは、先ず入力したビデオ信号のフォーマットをロービデオ・データフォーマット(raw video data format)に転換してビデオスケーリング装置のビデオデータ・バッファへ伝送し、ビデオスケーリング装置のビデオ信号処理モジュールはビオ信号データ・バッファ内に保存したこれらロービデオデータをスケーリング処理して特定固定ピクセル・フォーマットを具えたディスプレイ・スクリーン(Display Screen)の需要を満足させる。スケーリング処理後のロービデオデータはビデオ二次フォーマット・コンバータへ伝送し、一特定信号フォーマットに転換し、特定インターフェイス形態を具えたディスプレイ・スクリーンへ伝送して表示する。
【０００４】
一般的にビデオスケーリングは、線型ビデオスケーリング(line video scalar)、及び全景ビデオスケーリング(panoramic video scalar)の二種型式を含む。そのうち，線型ビデオスケーリングは、垂直方向上の個別水平表示線にだけ分布し、ロービデオデータを平滑延長もしくは圧縮する。全景ビデオスケーリング処理の要求において、連続した水平表示線に対して複製もしくは消去を実施し、ディスプレイ・スクリーンに表した全景ビデオが必要とする特定固定ピクセル・フォーマットを符合させる。全景ビデオスケーリングに対して二次元ビデオ処理技術原理に基づき、水平及び垂直方向上の平滑延長もしくは圧縮したロービデオデータ処理を統合し、一種の高技術、品質等級のビデオ処理にする。
【０００５】
比較的大きなビデオデータ・バッファは全景ビデオスケーリングに必要な費用が高い。線型ビデオスケーリングもしくは全景ビデオスケーリングは、それぞれ比較的少ないメモリー容量の線型ビデオデータ・バッファもしくは比較的多いメモリー容量のスクリーンビデオデータ・バッファを必要とする。更に全景ビデオスケーリングは、水平及び垂直方向上に於いてビデオ信号に対して延長及び/もしくは圧縮処理を必要とするため、線型ビデオスケーリング内のビデオ信号処理モジュールに相対し、全景ビデオスケーリング処理内のビデオ信号処理モジュールは処理機能と複雑性を具える。
【０００６】
別に、ディスプレイインターフェイスは、ビデオ信号チャンネルの他に、通常、所謂ディスプレイ・データ・チャンネルDDC(Display-Data-Channel)もしくはその他シリアル通信インターフェイスSCI(Serial Communication Interface)を含む。表示システムは、該ディスプレイ・データ・チャンネルもしくはその他シリアル通信インターフェイスでディスプレイ機種の弁別(identification)能力を取り出すか(retrieve)、もしくはディスプレイの操作モジュール、特性等を設定する。
【０００７】
上述の公知技術である内建て固定表示モジュールを具えたビデオスケーリング装置は、線型もしくは全景スケーリング技術方面で、内建て表示画面の固定幅高ピクセルポイント数及び比例に基づき、ディスプレイ・スクリーン全部画面の全部ビデオ信号に対して延長及び/もしくは圧縮処理を自動で行うことができ、それをディスプレイ・スクリーン画面上に表示する。
【発明の開示】
【発明が解決しようとする課題】
【０００８】
解決しようとする問題点は、ディスプレイが局部もしくは全部画面に対して選択が出来ず、スケーリング以外のビデオ信号処理だけを行う。また内建て固定表示モジュールに表す以外のその他，例として即時図画像とビデオ周波数処理の即時ビデオ演算法機能を行うことが出来ない点である。そのため如何にしてビデオ信号処理システム及びその方法を求め、ユーザーが局部もしくは全部画面を選択できるようにして，内建て表示モジュール以外の全部もしくは局部画面のビデオ信号処理を行い、それをユーザーの必要に応じてディスプレイ・スクリーン上に表示し、ユーザー必要に応えて問題を解決することを課題とする。
【課題を解決するための手段】
【０００９】
本発明は、ビデオ環境に於いて応用し、ディスプレイ・スクリーンが表示した画面内容に対して局部もしくは全部を選択し、選択した局部もしくは全部画面内容のビデオ信号に対して処理を行い、それをユーザーの要求に基づきディスプレイ・スクリーン上に表示してユーザーの要求に応えることを最も主要な特徴とする。
【発明の効果】
【００１０】
本発明のビデオ信号処理システム及びその方法は、下述の利点がある。
ビデオ環境内に応用し、ディスプレイ・スクリーンが表示した画面内容に対して局部もしくは全部を選択し、選択した局部もしくは全部画面内容のビデオ信号に対して処理を行い、ユーザーの要求に基づきディスプレイ・スクリーン上に表示してユーザーの要求に応える。
ユーザーが局部もしくは全部画面を選択し、ユーザーが内建て固定表示モジュールの他に、その他の表示モジュールを選択することが出来る。
【発明を実施するための最良の形態】
【００１１】
ビデオ信号処理システム及びその方法を提供し、ビデオ環境内に応用し、ディスプレイ・スクリーンに表示した画面内容に対して局部もしくは全部を選択することができ、選択した局部もしくは全部画面内容のビデオ信号に対して処理を行い、これをユーザーの要求に基づいてディスプレイ・スクリーン上に表示し、ユーザーの要求に応えることを本発明の主な目的とする。
【００１２】
ビデオ信号処理システム及びその方法を提供し、ユーザーが局部もしくは全部画面を選択し、内建て表示モジュール以外の全部もしくは局部画面のビデオ信号処理，例として即時図画像とビデオ周波数処理の即時ビデオ演算法機能を行い、それをユーザーの要求に基づき、ディスプレイ・スクリーン上に表示することを本発明の別の目的とする。
【００１３】
ビデオ信号処理システム及びその方法を提供し、ユーザーが局部もしくは全部画面を選択し、ユーザーは内建て固定表示モジュールを選択する以外に、更にその他即時図画像とビデオ周波数処理の即時ビデオ演算法機能を選択できることを本発明の更に別の目的とする。
【００１４】
上述の目的に基づき、本発明は、一種ビデオ信号処理システムを提供し、該ビデオ信号処理システムは、ビデオ信号処理モジュール、及ビデオデータ・バッファを含む。
【００１５】
ビデオ信号処理システムの入力は、ディスプレイ外部入力ビデオ信号が一次フォーマット・コンバータを経てフォーマットをロービデオ・データフォーマット後のビデオ信号に転換し、該入力信号は、ビデオデータ・バッファへ伝送して保存される。内建て固定表示モジュールのスケーリングの転換ができる他に、ビデオ信号処理モジュールがユーザーによって局部もしくは全部画面を選択し、ビデオデータ・バッファ内に保存したこれらのロービデオデータに対して、スケーリング処理以外の即時図画像とビデオ周波数処理を行うことができる。
【００１６】
該領域に習熟したものが本発明の目的、特徴及び効果を理解できるよう、下述に具体的な実施例を挙げ図式と共に本発明の詳しい説明を行う。
【実施例１】
【００１７】
第１図は、一システムアーキテクチャー指示図で、本発明のビデオ信号処理システムのシステムアーキテクチャーを表示説明する。第１図に示すとおり、本発明のビデオ信号処理システム１は、ビデオ信号処理モジュール２及びビデオデータ・バッファ３を含む。
【００１８】
ロービデオデータをビデオデータ・バッファ３へ入力し、ロービデオデータは、ディスプレイ外部入力ビデオ信号から一次フォーマットの転換を経て取得する。その際、内建て固定表示モジュールの他に、ビデオ信号処理モジュール２はユーザーに基づいて局部もしくは全部画面を選択し、ビデオデータ・バッファ３内に保存したこれらのロービデオデータに対してフォーマット転換、スケーリング処理及び/もしくはスケーリング処理以外に即時図画像とビデオ周波数処理を行う。
【００１９】
ビデオ信号処理モジュール２内には、ビデオ周波数信号処理二次モジュール２１を含む。該ビデオ周波数信号処理二次モジュール２１は、即時図画像とビデオ周波数処理の即時ビデオ演算法機能を具え、該即時ビデオ演算法機能はソフトウエア及び/もしくはファームウエアで実施し、スケーリングのズーミング、ミラーリング、回転等々機能を具える他に，即時図画像とビデオ周波数処理の機能にはモザイク、図画像回転、図画像ズーミング、色彩校正と色度校正、陰影増強、辺縁測定、直方図機能、鮮明化、メジアンフィルターと斑点分析等々を具える。
【００２０】
第２図は、一システム機能指示図で、本発明のビデオ信号処理システムとその他モジュールを合わせた運用状況を説明する。第２図に示すとおり、ビデオ一次フォーマット・コンバータ４は、受信したディスプレイ外部入力ビデオ信号を、一次フォーマット転換を経てロービデオデータに転換し、ロービデオデータをビデオデータ・バッファ３へ戻す。内建て固定表示モジュールの他に、ビデオ信号処理モジュール２はユーザーに基づいて局部もしくは全部画面を選択し、ビデオデータ・バッファ３内に保存したこれらロービデオデータに対してフォーマット転換、スケーリング処理，及びスケーリング処理以外の即時図画像とビデオ周波数処理を行う。
【００２１】
ビデオ信号処理モジュール２内には、ビデオ周波数信号処理二次モジュール２１を含む。該ビデオ周波数信号処理二次モジュール２１は、即時図画像とビデオ周波数処理の即時ビデオ演算法機能を具え、該即時ビデオ演算法機能はソフトウエア及び/もしくはファームウエアで実施し、スケーリングのズーミング、ミラーリング、回転等々機能を具える他に，即時図画像とビデオ周波数処理の機能にはモザイク、図画像回転、図画像ズーミング、色彩校正と色度校正、陰影増強、辺縁測定、直方図機能、鮮明化、メジアンフィルターと斑点分析等々を具える。
【００２２】
ビデオ信号処理モジュール２は、スケーリング処理及び/もしくは即時図画像とビデオ周波数処理を経て処理した後のロービデオデータをビデオデータ・バッファ３へ送る。ビデオ二次フォーマット・コンバータ５はビデオデータ・バッファ３から処理後のロービデオデータを読み取り、処理後のロービデオ・データフォーマットを出力ビデオ信号フォーマットに転換し、出力ビデオ信号をディスプレイ６へ伝送する。ディスプレイ６のインターフェイスはビデオ信号チャンネルの他に、通常所謂ディスプレイ・データ・チャンネルDDCもしくはその他シリアル通信インターフェイスSCIを含む。
【００２３】
リモートセンシング・モジュール７は、受信した遠隔制御信号を遠隔制御入力信号に転換し、それをオペレーション・インターフェイス・コントローラ９へ伝送し、オペレーション・インターフェイス・コントローラ９は受信した遠隔制御入力信号をスクリーン控制信号に転換し、それをビデオ信号処理モジュール２へ伝送する。また、ビデオ信号処理モジュール２は、該遠隔制御入力信号に基づき転換したスクリーン控制信号をビデオデータ・バッファ３内に保存したロービデオデータに対してスケーリング処理及び/もしくは即時図画像とビデオ周波数処理を行う。
【００２４】
コントロール・パネル８は、タッチキー８１を具えてユーザーが用い、コントロール・パネル８はユーザーが選んだ状況を入力タッチキー信号に転換し、それをオペレーション・インターフェイス・コントローラ９へ伝送する。オペレーション・インターフェイス・コントローラ９は、受信した入力タッチキー信号をスクリーン控制信号に転換し、更にそれをビデオ信号処理モジュール２へ伝送する。またビデオ信号処理モジュール２は、該入力タッチキーデータに基づいて転換したスクリーン控制信号をビデオデータ・バッファ３内に保存したロービデオデータに対してスケーリング処理及び/もしくは即時図画像とビデオ周波数処理を行う。
【００２５】
ディスプレイ・データ・チャンネルDDCもしくはシリアル通信インターフェイス・モジュール１０は、受信したコンピュータシステム控制信号を通信控制入力に転換し、それをオペレーション・インターフェイス・コントローラ９へ伝送し、オペレーション・インターフェイス・コントローラ９は受信した通信控制入力信号をスクリーン控制信号に転換し、それをビデオ信号処理モジュール２へ伝送する。またビデオ信号処理モジュール２は、該通信控制入力信号に基づいて転換したスクリーン控制信号をビデオデータ・バッファ３内に保存したロービデオデータに対してスケーリング処理及び/もしくは即時図画像とビデオ周波数処理を行う。
【００２６】
非揮発性メモリー１１は、ビデオ信号処理システム１のすべてのスケーリング処理及び/もしくは即時図画像とビデオ周波数処理に関するプログラム、数値、データを保存するのに用いる。
【００２７】
第３図は、一システムフローチャート指示図で、本発明のビデオ信号処理システムで本発明のビデオ信号処理方法を実施するプロセスステップを表示する。第３図に示すとおり、先ずステップ１２に於いて、ビデオ信号処理モジュール２はビデオデータ・バッファ３内に保存したロービデオデータを読み取り、該ロービデオデータはディスプレイ外部入力ビデオ信号を、ビデオ一次フォーマット・コンバータ４を経て取得し、ステップ１３へ進む。
【００２８】
ステップ１３に於いて、ビデオ信号処理モジュール２は、ユーザーが局部もしくは全部画面を選択し、ビデオデータ・バッファ３内に保存したこれらのロービデオデータに対してスケーリング処理及び/もしくは即時図画像とビデオ周波数処理を行う。そのうち，ビデオ信号処理モジュール２にはビデオ周波数信号処理二次モジュール２１を含み、該ビデオ周波数信号処理二次モジュール２１は、即時図画像とビデオ周波数処理の即時ビデオ演算法機能を具え、該即時ビデオ演算法機能はソフトウエア及び/もしくはファームウエアで実行し、スケーリングのズーミング、ミラーリング、回転等々機能の他に、即時図画像とビデオ周波数処理的機能有図画像回転、図画像ズーミング、色彩校正と色度校正、陰影増強、辺縁測定、直方図機能、鮮明化、メジアンフィルターと斑点分析等々を具える。
【００２９】
第４図は、一システム運用プロセスの実施例指示図の第一例であり、第２図の本発明のビデオ信号処理システムとその他モジュールで，第３図に示す本発明のビデオ信号処理方法を含む一ディスプレイ・スクリーン局部画面の選択運用及び特殊画面処理要求を実行するプロセスである。第４図に示すとおり、先ずステップ３１に於いて、ユーザーはコントロール・パネル８のタッチキーで第５図に示すディスプレイ６の局部画面６１及び指示画面ズーミング処理の要求を選択し、第５図に示すとおり、該局部画面６１が占める大きさを四分の一としてディスプレイ６画面の右上方に表示する。ユーザーは、局部画面６１を選択し、コントロール・パネル８のタッチキーで該局部画面６１を第６図に示すようなディスプレイ６の全画面６２に拡大する。そのうち、コントロール・パネル８はユーザーの選択を入力タッチキー信号に転換し、それをオペレーション・インターフェイス・コントローラ９へ伝送し、オペレーション・インターフェイス・コントローラ９は受信した入力タッチキー信号をスクリーン控制信号に転換し、それをビデオ信号処理モジュール２へ伝送する。そのうち、該遠隔制御信号を転換したスクリーン控制信号はユーザーに代わって第５図に示すディスプレイ６の局部画面６１を第６図に示す全画面６２に転換してステップ３２へ進む。
【００３０】
ステップ３２に於いて、ビデオ信号処理モジュール２はオペレーション・インターフェイス・コントローラ９からのスクリーン控制信号に基づき、ビデオデータ・バッファ３内に保存したロービデオデータを読み取り、該ロービデオデータはビデオ一次フォーマット・コンバータ４からディスプレイ外部入力ビデオ信号を、一次フォーマット転換を経て取得する。そのうち、ビデオ一次フォーマット・コンバータ４は受信したディスプレイ外部入力ビデオ信号をロービデオデータに転換し、ステップ３３へ進む。
【００３１】
ステップ３３に於いて、ビデオ信号処理モジュール２は、ユーザーが局部もしくは全部画面を選択し、ビデオデータ・バッファ３内に保存したこれらのロービデオデータに対してスケーリング処理及び/もしくは即時図画像とビデオ周波数処理を行い、該局部画面６１を第６図の全画面６２に拡大してユーザーに表示する。
【００３２】
第５図は、一指示図であり、ディスプレイ６の局部画面６１を表示し、第５図に示すとおり、該局部画面６１が占める大きさは四分の一でディスプレイ６画面の右上方に表示する。
【００３３】
第６図は、一指示図であり、第５図内の局部画面を拡大した後の全画面を表示する。
【００３４】
第７図は、一フローチャート図であり、第４図のスケーリング処理及び/もしくは即時図画像とビデオ周波数処理ステップの一詳細プロセスを表示説明する。
【００３５】
先ずステップ３３１に於いて、ビデオ信号処理モジュール２はビデオ周波数信号処理二次モジュール２１を含む。該ビデオ周波数信号処理二次モジュール２１は即時図画像とビデオ周波数処理の即時ビデオ演算法機能を具え、該即時ビデオ演算法機能はソフトウエア及び/もしくはファームウエアで実行し、スケーリングのズーミング、ミラーリング、回転等々機能を具える他に、即時図画像とビデオ周波数処理機能には図画像回転、図画像ズーミング、色彩校正と色度校正、陰影増強、辺縁測定、直方図機能、鮮明化、メジアンフィルターと斑点分析等々を具える。ビデオ信号処理モジュール２は、スケーリング処理及び/もしくは即時図画像とビデオ周波数処理を経て処理した後のロービデオデータをビデオデータ・バッファ３へ戻し、ステップ３３２へ進む。
【００３６】
ステップ３３２に於いて、ビデオ二次フォーマット・コンバータ５は、ビデオデータ・バッファ３が読み取り処理した後のロービデオ・データフォーマットから処理後のロービデオ・データフォーマットを出力ビデオ信号フォーマットに転換し、出力ビデオ信号フォーマットをディスプレイ６へ伝送し、全画面６２をディスプレイ６画面上に展開する。
【００３７】
第８図は、一システム運用プロセス実施例指示図の第二例であり、第２図に示す本発明のビデオ信号処理システムとその他モジュールで第３図に示す本発明のビデオ信号処理方法を含む別の一ディスプレイ・スクリーン局部画面の選択運用及び特殊画面処理の要求を実行するプロセスである。第８図に示すとおり、先ずステップ４１に於いて、リモコンのタッチキーで局部画面を選択し、及びモザイク画面処理の要求を指示し、リモートセンシング・モジュールは受信したリモコン遠隔制御信号を遠隔制御入力信号に転換し、それをオペレーション・インターフェイス・コントローラ９へ伝送し、オペレーション・インターフェイス・コントローラ９は受信した遠隔制御入力信号をスクリーン控制信号に転換し、それをビデオ信号処理モジュール２へ伝送する。そのうち、該遠隔制御信号が転換したスクリーン控制信号はユーザーに代わって第９図中に示すディスプレイ６の局部画面６３を第１０図に示す局部モザイクの全画面６４に転換し、ステップ４２へ進む。
【００３８】
ステップ４２に於いて、ビデオ信号処理モジュール２は、オペレーション・インターフェイス・コントローラ９からのスクリーン控制信号に基づき、ビデオデータ・バッファ３内に保存したロービデオデータに対してスケーリング処理及び/もしくは即時図画像とビデオ周波数処理を行い、該ロービデオデータは、ビデオ一次フォーマット・コンバータ４からのディスプレイ外部入力ビデオ信号を、一次フォーマットの転換を経て取得する。そのうち，ビデオ一次フォーマット・コンバータ４は、受信したディスプレイ外部入力ビデオ信号をロービデオデータに転換し、ステップ４３へ進む。
【００３９】
ステップ４３に於いて、ビデオ信号処理モジュール２は、ユーザーが全部もしくは局部画面を選択し、ビデオデータ・バッファ３内に保存したこれらのロービデオデータに対してスケーリング処理及び/もしくは即時図画像とビデオ周波数処理を行い、該局部画面６３をモザイク画面６４に転換する。
【００４０】
第９図は、一指示図で、ディスプレイ６の局部画面６３を表示説明する。
【００４１】
第１０図は、一指示図で、第９図内の局部画面６３に於いて転換された後のモザイク画面６４を表示説明する。
【００４２】
第１１図は、一フローチャート図で、第８図のスケーリング処理及び/もしくは即時図画像とビデオ周波数処理ステップの一詳細プロセスを表示説明する。
【００４３】
先ずステップ４３１に於いて、ビデオ信号処理モジュール２内にビデオ周波数信号処理二次モジュール２１を含む。該ビデオ周波数信号処理二次モジュール２１は、即時図画像とビデオ周波数処理の即時ビデオ演算法機能を具え、該即時ビデオ演算法機能はソフトウエア及び/もしくはファームウエアで実行し、スケーリングのズーミング、ミラーリング、回転等々機能を具える他に、即時図画像とビデオ周波数処理機能にはモザイク処理、図画像回転、図画像ズーミング、色彩校正と色度校正、陰影増強、辺縁測定、直方図機能、鮮明化、メジアンフィルターと斑点分析等々を具える。ビデオ信号処理モジュール２のビデオ周波数信号処理二次モジュール２１は、局部画面６３のビデオ信号をモザイク画面６４が必要なビデオ信号に転換する。ビデオ信号処理モジュール２は、スケーリング処理及び/もしくは即時図画像とビデオ周波数処理を経た処理後のロービデオデータをビデオデータ・バッファ３へ戻し、ステップ４３２へ進む。
【００４４】
ステップ４３２に於いて、ビデオ二次フォーマット・コンバータ５は、ビデオデータ・バッファ３から処理後のロービデオデータを読み取り、処理後のロービデオ・データフォーマットを出力ビデオ信号フォーマットに転換し、更に出力ビデオ信号フォーマットをディスプレイ６へ伝送し、モザイク処理を経た後の局部モザイクの全画面６４をディスプレイ６画面上に表示する。
【００４５】
第１２図は、一システム運用プロセス実施例指示図の第三例で、第２図の本発明のビデオ信号処理システムとその他モジュールで、第３図内に示す本発明のビデオ信号処理方法を含む別の一ディスプレイ・スクリーン局部画面選択運用及び特殊画面処理要求を実施するフローチャートを表示説明する。第１２図に示すとおり、先ずステップ５１に於いて、コンピュータシステムは、ディスプレイ・データ・チャンネルDDCもしくはその他シリアル通信インターフェイスSCIが伝送したコンピュータシステム控制信号内の制御指令で、第５図に示すディスプレイ６の局部画面６１及び指示画面ズーミング処理要求を選択する。第５図に示すとおり、該局部画面６１が占める大きさは、四分の一でディスプレイ６画面の右上方に表示する。ディスプレイ・データ・チャンネルDDCもしくはシリアル通信インターフェイスSCIが伝送した制御指令は局部画面６１を除いて選択し、該局部画面６１を指定して第６図に示すディスプレイ６の全画面６２に拡大する。そのうち、ディスプレイ・データ・チャンネルDDCもしくはシリアル通信インターフェイス・モジュール１０は、受信したコンピュータシステム控制信号を通信控制入力信号に転換し、それをオペレーション・インターフェイス・コントローラ９へ伝送する。オペレーション・インターフェイス・コントローラ９は、受信した通信控制入力信号をスクリーン控制信号に転換し、更にそれをビデオ信号処理モジュール２へ伝送する。そのうち、該通信控制入力信号を転換したスクリーン控制信号はユーザーに代わって第５図に示すディスプレイ６の局部画面６１を第６図に示す全画面６２に転換してステップ５２へ進む。
【００４６】
ステップ５２に於いて、ビデオ信号処理モジュール２は、オペレーション・インターフェイス・コントローラ９からのスクリーン控制信号に基づき、ビデオデータ・バッファ３内で保存したロービデオデータを読み取り、該ロービデオデータは一次フォーマット・コンバータ４でディスプレイ外部入力ビデオ信号を一次フォーマットの転換を経て取得する。そのうち，一次フォーマット・コンバータ４は、受信したディスプレイ外部入力ビデオ信号をロービデオデータに転換し、ステップ５３へ進む。
【００４７】
ステップ５３に於いて、ビデオ信号処理モジュール２は、通信控制入力信号に含まれる制御指令に基づき、局部もしくは全部画面に対して選択し、ビデオデータ・バッファ３内に保存したこれらのロービデオデータに対してスケーリング処理及び/もしくは即時図画像とビデオ周波数処理を行い、該局部画面６１を放大成第６図の全画面６２に拡大してユーザーに展開する。
【００４８】
第１３図は、一フローチャート図で、第１２図のスケーリング処理及び/もしくは即時図画像とビデオ周波数処理ステップの一詳細プロセスを表示説明する。
【００４９】
先ずステップ５３１に於いて、ビデオ信号処理モジュール２内にビデオ周波数信号処理二次モジュール２１を含む。該ビデオ周波数信号処理二次モジュール２１は、即時図画像とビデオ周波数処理の即時ビデオ演算法機能を具え、該即時ビデオ演算法機能はソフトウエア及び/もしくはファームウエアで実行し、スケーリングのズーミング、ミラーリング、回転等々機能を具える他に、即時図画像とビデオ周波数処理的機能有図画像回転、図画像ズーミング、色彩校正と色度校正、陰影増強、辺縁測定、直方図機能、鮮明化、メジアンフィルターと斑点分析等々を具える。ビデオ信号処理モジュール２は、スケーリング処理及び/もしくは即時図画像とビデオ周波数処理を経た処理後のロービデオデータをビデオデータ・バッファ３へ戻し、ステップ５３２へ進む。
【００５０】
ステップ５３２に於いて、ビデオ二次フォーマット・コンバータ５は、ビデオデータ・バッファ３から処理後のロービデオ・データフォーマットを読み取り、処理後のロービデオ・データフォーマットを出力ビデオ信号フォーマットに転換し、更に出力ビデオ信号フォーマットをディスプレイ６へ伝送し、全画面６２でディスプレイ６画面上に表示する。
【００５１】
ここに挙げた実施例は局部を全画面に拡大すること、及び局部画面にモザイク処理することであるが、以上に述べた実施例は本発明のビデオ信号処理システム及び方法に適用する技術範囲を限定するものではなく、その他の即時図画像とビデオ周波数処理技術，類似した原理を説明するためであり、ここでは詳述しない。
【００５２】
以上の実施例によって本発明のビデオ信号処理システム及びその方法とは、ビデオ環境内に応用し、ディスプレイ・スクリーンが表示する画面内容に対して進行局部もしくは全部を選択し、また選択した局部もしくは全部画面内容のビデオ信号に対して処理を実施し、これをユーザーの要求に基づき、ディスプレイ・スクリーン上で表示するもので、ユーザーの要求に符合する。
【００５３】
以上は本発明の良好な実施例にすぎず、本発明の範囲を限定するものではない。本発明の精神から乖離しない同効果の変更もしくは修飾はすべて請求範囲に含まれる。
【図面の簡単な説明】
【００５４】
【図１】本発明は一システムアーキテクチャー指示図で、本発明のビデオ信号処理システムのシステムアーキテクチャーを説明している。
【図２】本発明は一システム機能指示図で、本発明のビデオ信号処理システムとその他モジュールを合わせて運用した状況を説明している。
【図３】本発明は一システムプロセス指示図で、本発明のビデオ信号処理システムで本発明のビデオ信号処理方法を実施するプロセスステップを表示している。
【図４】本発明は一システム運用のプロセス実施例指示図で、第２図の本発明のビデオ信号処理システムとその他モジュールで，第３図に示す本発明のビデオ信号処理方法を含む一ディスプレイ・スクリーン局部画面を選択運用したプロセスを説明表示している。
【図５】本発明は一指示図で、ディスプレイの局部画面を表示している。
【図６】本発明は一指示図で、第５図の局部画面を拡大した全画面を表示している。
【図７】本発明は一フローチャート図で、第４図のスケーリング処理 及び/もしくは即時図画像とビデオ周波数処理のステップの一詳細プロセスを表示して説明している。
【図８】本発明は別の一システム運用プロセス実施例指示図で、第２図の本発明のビデオ信号処理システムとその他モジュールで、第３図中の本発明のビデオ信号処理方法を含む別の一ディスプレイ・スクリーン局部画面を選択して運用するプロセスを表示して説明している。
【図９】本発明は一指示図で、ディスプレイの局部画面を表示説明している。
【図１０】本発明は一指示図で、第９図中の局部画面にモザイクを施した後の画面全部を表示して説明している。
【図１１】本発明は一フローチャート図で、第８図のスケーリング処理及び/もしくは即時図画像とビデオ周波数処理ステップの一詳細プロセスを表示して説明している。
【図１２】本発明は別の一システム運用プロセス実施例指示図で、第２図の本発明のビデオ信号処理システムとその他モジュールで，第３図に示す本発明のビデオ信号処理方法を含む別の一ディスプレイ・スクリーン局部画面を選択して運用するプロセスを表示して説明している。
【図１３】本発明は一フローチャート図で、第１２図のスケーリング処理及び/もしくは即時図画像とビデオ周波数処理ステップの一詳細プロセスを表示して説明している。
【符号の説明】
【００５５】
１        ビデオ信号処理システム
１０        ディスプレイ・データ・チャンネルDDCもしくはその他通信インターフェイス・モジュール
１１        非揮発性メモリー
１２        ステップ
１３        ステップ
２        ビデオ信号処理モジュール
２１        ビデオ周波数信号処理二次モジュール
３        ビデオデータ・バッファ
３１        ステップ
３２        ステップ
３３        ステップ
３３１        ステップ
３３２        ステップ
４        ビデオ一次フォーマット・コンバータ
４１        ステップ
４２        ステップ
４３        ステップ
４３１        ステップ
４３２        ステップ
５        ビデオ二次フォーマット・コンバータ
５２        ステップ
５３        ステップ
５３１        ステップ
５３２        ステップ
６        ディスプレイ
６１        局部画面
６２        全画面
６３        局部画面
６４        局部モザイクの全画面
７        リモートセンシング・モジュール
８        コントロール・パネル
８１        タッチキー
９        オペレーション・インターフェイス・コントローラ
【図１】
2010091723.tif 000003
【図２】
2010091723.tif 000004
【図３】
2010091723.tif 000005
【図４】
2010091723.tif 000006
【図５】
2010091723.tif 000007
【図６】
2010091723.tif 000008
【図７】
2010091723.tif 000009
【図８】
2010091723.tif 000010
【図９】
2010091723.tif 000011
【図１０】
2010091723.tif 000012
【図１１】
2010091723.tif 000013
【図１２】
2010091723.tif 000014
【図１３】
2010091723.tif 000015